(57)【要約】【課題】蚊やその他の害虫、ねずみなどが雨水枡本体内へ侵入して、家の敷地内で蚊やその他の害虫が繁殖して不衛生になったり、害虫による病害を受けることがないように、蚊などの雨水枡への侵入を防止する蓋カバーの提供を課題とする。【解決手段】雨水枡本体の開口を覆う蓋１３に取っ手孔１３ａを覆う蓋カバー３１を設ける。この蓋カバー３１は、カバー本体部３２と、カバー本体部３２の裏面側にリベット３６で取り付けられ、取っ手孔１３ａ内へ挿入されることによって取っ手孔１３ａの下端に位置する蓋１３の一部に圧接し、カバー本体部３２を蓋１３に着脱可能に取り付ける係止部３３とからなる。【選択図】　　図３
2004060274.tif 000002
【特許請求の範囲】
【請求項１】
雨水枡本体の開口を覆う蓋に設けられた取っ手孔を覆う平板状のカバー本体部と、
このカバー本体部の裏面側に設けられ、前記取っ手孔内へ挿入されることによって前記取っ手孔を形成する内面または前記取っ手孔の下端に位置する前記蓋の一部に固着し、前記カバー本体部を前記蓋に着脱可能に取り付ける係止部と、
を具備することを特徴とする蓋カバー。
【請求項２】
前記カバー本体部に、補強部を設けた、ことを特徴とする請求項１に記載の蓋カバー。
【請求項３】
前記補強部は、前記カバー本体部の周縁を、裏面側へ湾曲させた湾曲部または屈曲させた屈曲部である、ことを特徴とする請求項２に記載の蓋カバー。
【請求項４】
前記カバー本体部の周縁の一部を表面側へ屈曲させて引っ掛け部を設けた、ことを特徴とする請求項１から請求項３のいずれか１項に記載の蓋カバー。
【請求項５】
前記カバー本体部に、前記取っ手孔に連通し、雨水のみを通過させる複数の貫通孔を設けた、ことを特徴とする請求項１から請求項４のいずれか１項に記載の蓋カバー。
【請求項６】
前記係止部は、裏面側へ拡開した後に裏面側へ縮閉する側面視く字状および逆く字状の係止部分を有する、ことを特徴とする請求項１から請求項５のいずれか１項に記載の蓋カバー。
【請求項７】
前記係止部は、裏面側へ側面視ハ字状に拡開する係止部分を有する、ことを特徴とする請求項１から請求項５のいずれか１項に記載の蓋カバー。
【請求項８】
前記カバー本体部は、金属板で構成され、前記係止部は、金属板を折り曲げて構成され、前記カバー本体部に固着されている、ことを特徴とする請求項６または請求項７に記載の蓋カバー。
【請求項９】
前記カバー本体部は、合成樹脂で成形され、前記係止部は、合成樹脂で成形され、前記カバー本体部に固着されている、ことを特徴とする請求項６または請求項７に記載の蓋カバー。
【請求項１０】
前記カバー本体部および前記係止部は、合成樹脂で一体成形されている、ことを特徴とする請求項６または請求項７に記載の蓋カバー。
【請求項１１】
前記カバー本体部は、合成樹脂で成形され、前記係止部は、金属板を折り曲げて構成されて前記カバー本体部に固着されている、ことを特徴とする請求項６または請求項７に記載の蓋カバー。
【請求項１２】
前記係止部は抜け止め部を有し、合成樹脂で成形された前記カバー本体部にインサートされて固着されている、ことを特徴とする請求項１１に記載の蓋カバー。
【発明の詳細な説明】
【０００１】
【発明の属する技術分野】
この発明は、雨水を排出するための導水管を連絡する部分に設けられる雨水枡を構成する蓋の取っ手孔を覆う蓋カバーに関するものである。
【０００２】
【従来の技術】
雨水を排出する場合、雨水を１個所に集めたり、集まった雨水を排水路へ排出させるために導水管が利用され、一方の導水管からの雨水を他方の導水管へ供給するために雨水枡が利用されている。
【０００３】
この雨水枡は、上面が開口された雨水枡本体と、この雨水枡本体の開口を覆う蓋とで構成されている。
そして、蓋には、雨水枡本体に取り付けたり、取り外すために指を挿入して把持するための取っ手孔が設けられている。この取っ手孔は従来は単なる貫通した孔であって特別に蓋などは設けられていなかった。
【０００４】
【発明が解決しようとする課題】
上述したように、雨水枡本体の開口を覆う蓋には貫通した取っ手孔が設けられているので、この取っ手孔を介して雨水枡本体内へ雨水が流入する一方、例えば蚊の成虫が取っ手孔から雨水枡本体内へ侵入し、雨水枡本体内の溜まり水内に卵を産み付けることにより、蚊の幼虫のぼうふらが産まれ蚊が発生する原因となる。また、その他の害虫やねずみなどが雨水枡本体内へ侵入することも考えられ、家の敷地内で蚊やその他の害虫などを繁殖させる原因になり、衛生上好ましくない。
そこで、取っ手孔を覆って雨水枡本体内へ蚊などの害虫が侵入しないようにすることにより、蚊やその他の害虫の繁殖を防止し、良好な環境衛生を保つ必要がある。
【０００５】
この発明は、上記したような問題点を解消するためになされたものであり、蚊などの害虫が侵入できないように、蓋の取っ手孔を着脱可能に覆うことのできる蓋カバーを提供するものである。
【０００６】
【課題を解決するための手段】
この発明の蓋カバーは、雨水枡本体の開口を覆う蓋に設けられた取っ手孔を覆う平板状のカバー本体部と、このカバー本体部の裏面側に設けられ、取っ手孔内へ挿入されることによって取っ手孔を形成する内面または取っ手孔の下端に位置する蓋の一部に圧着、接着、ビス止めなどの方法で固着された、カバー本体部を蓋に着脱可能に取り付ける係止部とからなるものである。
そして、カバー本体部に補強部を設けたり、さらに、カバー本体部の周縁を、裏面側へ湾曲させた湾曲部または屈曲させた屈曲部を補強部としたり、さらに、カバー本体部の周縁の一部を表面側へ屈曲させて引っ掛け部を設けたり、さらに、カバー本体部に、取っ手孔に連通し、雨水のみを通過させる複数の貫通孔を設けるのが望ましい。
さらに、係止部を、裏面側へ拡開した後に裏面側へ縮閉する側面視く字状および逆く字状の係止部分を有する構成にしたり、または、裏面側へ側面視ハ字状に拡開する係止部分を有する構成にするのが望ましい。
そして、カバー本体部を金属板で構成し、係止部を、金属板を折り曲げて構成して、カバー本体部に固着させる構成にしてもよい。
また、カバー本体部を合成樹脂で成形し、係止部を合成樹脂で成形して、カバー本体部に固着させたり、係止部を金属板で成形して合成樹脂のカバー本体部にはめ込みや接着、インサート製法などにより固着させたり、または、カバー本体部および係止部を、合成樹脂で一体に成形してもよい。
【０００７】
【発明の実施の形態】
以下、この発明の実施の形態を図に基づいて説明する。
図１はこの発明の一実施の形態である蓋カバーを取り付けた状態の雨水枡を示す断面図に相当する説明図、図２（ａ），（ｂ）は図１に示した蓋の一例を示す平面図および正面図、図３（ａ），（ｂ），（ｃ）は図１に示した蓋カバーの平面図、正面図および右側面図である。
【０００８】
これらの図において、１１は上面を露出させて埋められる雨水枡を示し、コンクリート製の雨水枡本体１２と、コンクリート製の蓋１３とで構成されている。
上記した雨水枡本体１２は、上面が四角形の開口とされた、例えば上方へ拡開する四角錐台形で、側壁に導水管２１を取り付けるための取付孔１２ａが少なくとも２つ設けられている。
そして、上面を露出させて埋められる四角形の蓋１３には、雨水枡本体１２の開口を覆うように蓋１３を雨水枡本体１２に取り付けたり、蓋１３を雨水枡本体１２から取り外すために指を挿入して把持するための長円形をした取っ手孔１３ａが周縁の対称位置に２つ設けられている。
なお、取っ手孔１３ａを形成する内側面は、裏面側（図１および図２（ｂ）の下側）へ拡開する傾斜面とされている。
【０００９】
３１は本実施の形態の蓋カバーを示し、取っ手孔１３ａを覆う大きさで長円形の平板状をした金属製、例えばステンレス製のカバー本体部３２と、このカバー本体部３２の裏面側（図１、図３（ｂ）および図３（ｃ）の下側）に金属製のリベット３６で取り付けられ、カバー本体部３２を蓋１３に着脱可能に取り付ける金属製、例えばバネ鋼製の係止部３３とで構成されている。
上記したカバー本体部３２には、中心にリベット３６の軸部が貫通する取付孔（図示せず）と、周縁を裏面側へ湾曲させて補強部を兼ねる湾曲部３２ｂと、この湾曲部３２ｂの一部、すなわち、長軸の対称位置に周縁を表面側へ屈曲させた引っ掛け部３２ｃと、取っ手孔１３ａに連通し、雨水のみを通過させる複数の貫通孔３２ｄとが設けられている。
【００１０】
また、係止部３３は、１枚の帯状の金属板を折り曲げて構成されるものであり、水平部分３３ａと、この水平部分３３ａの両側に連なる係止部分３３ｂ，３３ｃとで構成されている。
上記した水平部分３３ａには、中心にリベット３６の軸部が貫通する取付孔（図示せず）が設けられている。
そして、係止部分３３ｂ，３３ｃは、上側が水平部分３３ａに連なり裏面側へハ字状、もしくはその他の方法で拡開する係止片部３４ｂと、この係止片部３４ｂの下側に連なり裏面側へ逆ハ字状に縮閉するガイド片部３４ｃとで構成され、これらは側面視でく字状および逆く字状に形成されている。
【００１１】
次に、本実施の形態の蓋カバー３１の蓋１３への取り付け方と蓋１３からの取り外し方について説明する。
まず、蓋カバー３１を取り付ける場合は、係止部３３を下側にして両ガイド片部３４ｃの外側を取っ手孔１３ａの縁に当てた後、カバー本体部３２を押圧すると、両係止部分３３ｂ，３３ｃが縮閉する。これにより、蓋１３の上面に当接するまでカバー本体部３２を押し込むことができる。
【００１２】
このようにカバー本体部３２を押し込むと、係止片部３４ｂとガイド片部３４ｃとの接続部分が蓋１３の裏面（下）側へ突出し、両係止片部３４ｂの下側が自身の弾性で蓋１３の縁に圧接することにより、図３（ｃ）に示すように、所定の力以上で引き抜かない限り、取り外せない状態で、取っ手孔１３ａをカバー本体部３２が覆うように蓋カバー３１を蓋１３に取り付けることができる。
【００１３】
次に、蓋カバー３１を蓋１３からの取り外す場合は、一方または双方の引っ掛け部３２ｃ内へ外側から、例えばドライバの先端を差し込み、先端を支点にしてドライバを回動させると、図３（ｃ）に二点差線で示すように、蓋カバー３１を蓋１３から浮き上がらせることができるので、さらに蓋カバー３１を浮き上がらせることにより、蓋カバー３１を蓋１３から簡単に取り外すことができる。
【００１４】
次に、雨水枡１１の作用について説明する。
図１に示すように、雨水枡本体１２に２本の導水管２１を接続した場合、一方（右側）の導水管２１から雨水枡本体１２内へ雨水が流入し、雨水枡本体１２内に溜まった雨水は他方（左側）の導水管２１から流出する。
そして、一方（右側）の導水管２１から雨水枡本体１２内へ雨水が流入しなくなると、図１に示すように、雨水枡本体１２内に雨水が残って溜まる。
このように雨水枡本体１２内に雨水が溜まっていても、蓋１３の取っ手孔１３ａが蓋カバー３１で覆われているので、蚊などが雨水枡本体１２内へ浸入し、溜まり水内に卵を産み付けることを防止できる。
【００１５】
上述したように、この発明の一実施の形態によれば、蓋１３の取っ手１３ａを覆う蓋カバー３１を着脱可能にしたので、不必要なときに取り外せる一方、蚊などが侵入できないように、蓋１３の取っ手孔１３ａを覆うことができ、良好な環境衛生を維持することができる。さらに、蚊などの害虫の発生がないと、むやみに殺虫剤をまく必要がなくなるので、その分、環境を汚染することがなく、地球環境に優しい対応が取れることになる。
そして、カバー本体部３２に補強部を設けたので、カバー本体部３２を板材で構成しても強度を確保することができる。
また、カバー本体部３２の周縁を裏面側へ湾曲させて湾曲部３２ｂとしたので、カバー本体部３２の上にごみなどが溜まり難くなり、貫通孔３２ｄが目詰まりを起こすのを回避することができる。
そして、雨水のみを通過させる貫通孔３２ｄを設けたので、取っ手孔１３ａを蓋カバー３１で覆った状態でも、貫通孔３２ｄから雨水枡本体１２内へ雨水を流入させることができる。
【００１６】
また、係止部３３を、裏面側へ拡開した後に裏面側へ縮閉する側面視く字状および逆く字状の係止部分３３ｂ，３３ｃを有する構成にしたので、係止部分３３ｂ、３３ｃの作用によって蓋カバー３１を蓋１３へ確実に取り付けることができる。
【００１７】
図４はこの発明の他の実施の形態である蓋カバーの右側面図であり、図３と同一または相当部分に同一符号を付して説明を省略する。
この実施の形態の蓋カバー３１が先の実施の形態の蓋カバー３１と異なるのは、係止部分３３ｂ，３３ｃが係止片部３４ｂのみで構成されている、すなわち、裏面側へ側面視ハ字状に拡開する係止部分３４ｂで構成されている点である。
したがって、この実施の形態の蓋カバー３１の平面図は図３（ａ）と同じになり、また、この実施の形態の蓋カバー３１の正面図は、図３（ｂ）のガイド片部３４ｃがない状態になる。
【００１８】
この実施の形態の蓋カバー３１の作用などは、先の実施の形態の蓋カバー３１と同じになるので、説明を省略する。
そして、この実施の形態の蓋カバー３１においては、先の実施の形態の蓋カバー３１と同じ効果が得られる他、材料として短い金属板を使用できるので、より安価に製作することができる。
【００１９】
図５（ａ），（ｂ），（ｃ）にこの発明の蓋カバーの他の実施の形態の平面図、正面図および右側面図を示す。図３と同一または相当部分に同一符号を付して説明を省略する。
この実施の形態の蓋カバー３１が図３の実施の形態の蓋カバー３１と異なるのは、カバー本体部３２が平面ではなく、雨水枡本体１２側に向いた浅い逆お椀型の形状をしている点である。
このような逆お椀型の形状にすると、蓋カバー３１の表面にごみ等が附着し難くなるという利点がうまれる。
【００２０】
図６（ａ），（ｂ）は蓋の他の例を示す平面図および正面図であり、図２と同一または相当部分に同一符号を付して説明を省略する。
この蓋１３は、合成樹脂で成形した円形で、長円形をした取っ手孔１３ａが周縁の対称位置に２つ設けられている。
なお、この蓋１３に対応する雨水枡本体１２は、上面が円形の開口とされた、例えば上方へ拡開する円錐台形で、側壁に導水管２１を取り付けるための取付孔１２ａが少なくとも２つ設けられている。
【００２１】
なお、上記した実施の形態では、蓋カバー３１を蓋１３に取り付けた状態で、係止部３３（係止部分３３ｂ、係止片部３４ｂ）の下端が蓋１３の裏面側へ突出して係合する例で説明したが、蓋カバー３１を蓋１３に取り付けた状態で、係止部３３（係止部分３３ｂ、係止片部３４ｂ）の下端が取っ手孔１３ａの途中に位置し、取っ手孔１３ａを形成する内面に圧接して係合する構成であってもよい。
以上の説明では、カバー本体部３２に係止部３３をリベット３６で取り付ける例で説明したが、カバー本体部３２に係止部３３を溶接や接着で取り付けてもよい。
このように、溶接や接着で取り付ける場合、当然のことながら、リベット３６が通る取付孔（３２ａ，３４ａ）は設けないでよい。
【００２２】
また以上の説明では、周縁を湾曲部３２ｂとして補強部とした例で説明したが、周縁を裏面側へ屈曲させた屈曲部としたり、周辺に沿って線状の凸部や凹部を廻らせて、この凸部や凹部の長さ方向の剛性を増大させ、補強部としてもよい。
また以上の説明では、係止部３３を１枚の帯状の金属板を折り曲げて構成する例で説明したが、水平部分３３ａと係止部分３３ｂまたは係止片部３４ｂ、水平部分３３ａと係止部分３３ｃまたは係止片部３４ｂとに分け、両方の水平部分３３ａを重ねると、図３に示す係止部３３と同じ機能を有する構成であってもよい。
【００２３】
また以上では、蓋カバー３１全体を金属で構成した例で説明したが、カバー本体部３２を合成樹脂で成形し、係止部３３を、合成樹脂で成形してカバー本体部３２に固着させることにより、蓋カバー３１としたり、カバー本体部３２は合成樹脂で成形し、係止部３３は、金属板で成形してはめ込みや接着、あるいはインサートなどの製法により一体に固着させることにより、蓋カバー３１としたり、または、カバー本体部３２および係止部３３を、合成樹脂で一体成形してもよい。図７に合成樹脂製のカバー本体部３２に金属板で形成した係止部３３をインサート製法によって固着した場合の蓋カバー３１の側面断面図を示す。この例では係止部３３の合成樹脂内に封止される部分には抜け止め部３３ｃを設けて接合面積を増やし、強度を高めるようにしている。図７では図３と同一または相当部分に同一符号を付して説明を省略する。
【００２４】
以上、本発明を複数の実施の形態に沿って説明したが、本発明は必ずしもこれらの実施の形態に限られるものではなく、本発明の趣旨に沿った多様な形が考えられる。例えば、以上の実施の形態ではカバー本体部３２に貫通孔３２ｄを設ける構成として説明したが、蓋カバー３１と取っ手孔１３ａの間にわずかな隙間を設けるなど、適当な方法で雨水を通過させることさえできれば、カバー本体部３２に貫通孔３２ｄは必ずしも必要でなく、貫通孔３２ｄをなくした蓋カバー３１も考えられる。
【００２５】
【発明の効果】
以上のように、この発明によれば、蓋の取っ手孔を覆う蓋カバーを着脱可能にしたので、不必要なときに取り外せる一方、蚊など害虫が侵入できないように、蓋の取っ手孔を覆うことができ、良好な環境衛生を維持することができる。さらに、蚊などの害虫の発生がないと、むやみに殺虫剤をまく必要がなくなるので、その分、環境を汚染することがなく、地球環境に優しい対応が取れることになる。
そして、カバー本体部に補強部を設けたので、カバー本体部を板材で構成しても強度を確保することができる。
また、カバー本体部の周縁を裏面側へ湾曲させて湾曲部または屈曲させた屈曲部を補強部としたり、カバー本体部を逆お椀型にしたので、カバー本体部の上にごみなどが溜まり難くなる。
【００２６】
さらに、カバー本体部の周縁の一部を表面側へ屈曲させて引っ掛け部を設けたので、この引っ掛け部内へ外側から、例えばドライバの先端を差し込み、先端を支点にしてドライバを回動させることにより、蓋カバーを蓋からの簡単に取り外すことができる。
したがって、大雨のときなどのように、雨水を積極的に雨水枡本体内へ流入させる場合、簡単に取り外せ、対処することができる。
そして、雨水のみを通過させる貫通孔を設けたので、取っ手孔を蓋カバーで覆った状態でも、貫通孔から雨水枡本体内へ雨水を流入させることができる。
【００２７】
また、係止部を、裏面側へ拡開した後に裏面側へ縮閉する側面視く字状および逆く字状の係止部分を有する構成にしたので、係止部分の作用によって蓋カバーを蓋へ確実に取り付けることができる。
したがって、係止部分の作用を利用し、蓋カバーを蓋から浮き上がらせることにより、蓋と蓋カバーとの間から雨水を雨水枡本体内へ流入させることができる。
さらに、係止部を、裏面側へ側面視ハ字状に拡開する係止部分を有する構成にしたので、少ない材料で、より安価に製作することができる。
【００２８】
そして、カバー本体部を金属板で構成し、係止部を、金属板を折り曲げて構成し、カバー本体部に固着したので、材料として短い金属板を使用できることにより、より安価に製作することができる。
また、係止部を、１枚の金属板を折り曲げて構成したので、部品点数が少なくなるとともに、組立易くなる。
そして、カバー本体部を合成樹脂で成形し、係止部を、合成樹脂または金属板で成形し、カバー本体部に固着したので、あるいは、カバー本体部および係止部を合成樹脂で一体成形したので、より安価に製作することができる。カバー本体部を合成樹脂で成形し、係止部を金属板で成形した場合、たとえばインサート製法で固着することで、十分な強度を得ることができる。
【図面の簡単な説明】
【図１】この発明の一実施の形態である蓋カバーを取り付けた状態の雨水枡を示す断面図に相当する説明図である。
【図２】（ａ），（ｂ）は図１に示した蓋の一例を示す平面図および側面図である。
【図３】（ａ），（ｂ），（ｃ）は図１に示した蓋カバーの平面図、正面図および右側面図である。
【図４】この発明の他の実施の形態である蓋カバーの右側面図である。
【図５】（ａ），（ｂ），（ｃ）はこの発明の蓋カバーの他の実施の形態の平面図、正面図および右側面図である。
【図６】（ａ），（ｂ）は蓋の他の例を示す平面図および正面図である。
【図７】この発明の他の実施の形態である蓋カバーの右側断面図である。
【符号の説明】
１１　　雨水枡
１２　　雨水枡本体
１２ａ　取付孔
１３　　蓋
１３ａ　取っ手孔
２１　　導水管
３１　　蓋カバー
３２　　カバー本体部
３２ｂ　湾曲部
３２ｃ　引っ掛け部
３２ｄ　貫通孔
３３　　係止部
３３ａ　水平部分
３３ｂ　係止部分
３４ｂ　係止片部
３４ｃ　ガイド片部
３５　　周り止め部
３６　　リベット
【図１】
2004060274.tif 000003
【図２】
2004060274.tif 000004
【図３】
2004060274.tif 000005
【図４】
2004060274.tif 000006
【図５】
2004060274.tif 000007
【図６】
2004060274.tif 000008
【図７】
2004060274.tif 000009